(57)【要約】【課題】従来とは異なり、屋上やバルコニー等の床面に散水管を配管せずとも容易に、かつ床面全体に給水できる温度上昇抑制システムを提供することを目的とする。【解決手段】建物１の屋上やバルコニー２等の床面２ａに設けられることによって周囲の温度上昇を抑制するものであり、床面２ａには、この床面２ａの建物側端部から外部側端部に向かって低くなる水勾配が設けられており、床面２ａ上には、複数の貯水部１０，１０が床面２ａの勾配方向に沿って並設されており、これら複数の貯水部１０，１０には、保水性能・浸透性能を有するブロック材１４が複数敷き詰められており、床面２ａの勾配方向の上方に位置する貯水部１０の近傍には、この貯水部１０に水を供給するための給水手段１５が設けられている温度上昇抑制システム。これにより、床面の温度の上昇を抑制したり、温度を低下させたりすることができる。【選択図】図１
2010084506.tif 000002
【特許請求の範囲】
【請求項１】
建物の屋上やバルコニー等の床面に設けられることによって周囲の温度上昇を抑制する温度上昇抑制システムにおいて、
前記床面には、この床面の建物側端部から外部側端部に向かって低くなる水勾配が設けられており、
前記床面上には、この床面の勾配方向に沿って、かつ、この床面の勾配方向と直交する方向に所定の間隔をあけて所定長さの側壁部材を複数配置するとともに、これら複数の側壁部材間に、これら複数の側壁部材の長さ方向に沿って所定の間隔をあけて複数並設される所定高さの仕切り部材を架設し、さらに、前記複数の側壁部材と、これら複数の側壁部材の長さ方向両端部間にそれぞれ架設される仕切り部材とで囲まれる部分に防水シートを敷設することによって、複数の貯水部が前記床面の勾配方向に沿って並設されており、
これら複数の貯水部には、保水性能・浸透性能を有するブロック材が複数敷き詰められており、
前記床面の勾配方向の上方に位置する貯水部の近傍には、この貯水部に水を供給するための給水手段が設けられており、
前記床面の勾配方向の下方には、前記床面の勾配方向の下方に位置する貯水部から溢れる水を外部に排出する排水孔が設けられていることを特徴とする温度上昇抑制システム。
【請求項２】
請求項１に記載の温度上昇抑制システムにおいて、
前記複数のブロック材のうち、少なくとも一つのブロック材の上面に芝が植栽されていることを特徴とする温度上昇抑制システム。
【請求項３】
請求項１または２に記載の温度上昇抑制システムにおいて、
前記複数のブロック材のうち、少なくとも一つのブロック材の上面にセラミックタイルが取り付けられていることを特徴とする温度上昇抑制システム。
【請求項４】
請求項１〜３のいずれか一項に記載の温度上昇抑制システムにおいて、
前記ブロック材は、このブロック材の上面を、下面よりも面積が広くなるように設定することによって、このブロック材の上部が下部よりもオーバーハングするように形成されており、
このブロック材同士を隣り合わせた際に、これら隣り合うブロック材の対向する側部間に形成される空洞は、前記仕切り部材を収容するための収容スペースとされていることを特徴とする温度上昇抑制システム。
【請求項５】
請求項４に記載の温度上昇抑制システムにおいて、
前記空洞に、前記給水手段と接続され、前記貯水部に水を注ぐ灌水パイプが配設されていることを特徴とする温度上昇抑制システム。
【請求項６】
請求項１〜５のいずれか一項に記載の温度上昇抑制システムにおいて、
前記床面の勾配は１／５０程度に設定されていることを特徴とする温度上昇抑制システム。
【請求項７】
請求項４〜６のいずれか一項に記載の温度上昇抑制システムにおいて、
前記ブロック材は、樹脂製のケース内に一体的に固着収納されており、
前記ケースは、このケース内と外部とを連通する複数の孔部を有する底板部と、この底板部の周縁部から前記ブロック材の側面に沿って立ち上がる側板部とを備えていることを特徴とする温度上昇抑制システム。
【請求項８】
請求項７に記載の温度上昇抑制システムにおいて、
前記底板部は四角形状に形成されており、前記側板部は、この底板部の四方の縁部から前記ブロック材の側面に沿って立ち上がることによって４つの側面部分を有しており、
この側板部は、これら４つの側面部分のうちの、２つの側面部分の幅方向中央部からそれぞれ突出して設けられる凸部と、残りの２つの側面部分の幅方向中央部にそれぞれ設けられる凹部とを有しており、
前記ケースを隣り合わせて並べる際に、互いに隣り合うケースのうち、一方のケースの凸部が、他方のケースの凹部に嵌合可能となっていることを特徴とする温度上昇抑制システム。
【請求項９】
請求項７または８に記載の温度上昇抑制システムにおいて、
前記ケースの側板部の４つの側面部分のうち、少なくとも前記床面の勾配方向の下方側に位置する側面部分に、該ケース内と外部とを連通する複数の孔部が形成されていることを特徴とする温度上昇抑制システム。
【請求項１０】
請求項１〜９のいずれか一項に記載の温度上昇抑制システムにおいて、
前記仕切り部材は三角柱状に形成されており、
この仕切り部材の底面から頂角部までの高さが５ｍｍ〜２０ｍｍに設定されていることを特徴とする温度上昇抑制システム。
【発明の詳細な説明】
【技術分野】
【０００１】
本発明は、建物の屋上やバルコニー等の床面に設けられることによって周囲の温度上昇を抑制する温度上昇抑制システムに関する。
【背景技術】
【０００２】
ヒートアイランド現象を抑制することを目的として、建物の屋上やバルコニー等の床面に多孔質セラミックスを敷設し、この多孔質セラミックスが保水した水分の気化熱によって建物の温度上昇を抑制する技術が知られている（例えば、特許文献１参照）。
【先行技術文献】
【特許文献】
【０００３】
【特許文献１】特開２００３−１０５８８３号公報
【発明の概要】
【発明が解決しようとする課題】
【０００４】
ところで、従来の温度上昇抑制システムでは、屋上やバルコニー等の床面全体に散水管が張り巡らされており、床面に敷設された多孔質セラミックスに対して広域に給水を行えるようになっているが、散水管を床面全体に張り巡らすとなると、配管施工の手間とコストがかかることになる。
【０００５】
本発明の課題は、従来とは異なり、屋上やバルコニー等の床面に散水管を配管せずとも容易に、かつ床面全体に給水できる温度上昇抑制システムを提供することを目的とする。
【課題を解決するための手段】
【０００６】
請求項１に記載の発明は、例えば図１〜図８に示すように、建物１の屋上やバルコニー２等の床面２ａに設けられることによって周囲の温度上昇を抑制する温度上昇抑制システムにおいて、
前記床面２ａには、この床面２ａの建物側端部から外部側端部に向かって低くなる水勾配が設けられており、
前記床面２ａ上には、この床面２ａの勾配方向に沿って、かつ、この床面２ａの勾配方向と直交する方向に所定の間隔をあけて所定長さの側壁部材１１を複数配置するとともに、これら複数の側壁部材１１，１１間に、これら複数の側壁部材１１，１１の長さ方向に沿って所定の間隔をあけて複数並設される所定高さの仕切り部材１２を架設し、さらに、前記複数の側壁部材１１，１１と、これら複数の側壁部材１１，１１の長さ方向両端部間にそれぞれ架設される仕切り部材１２，１２とで囲まれる部分に防水シート１３を敷設することによって、複数の貯水部１０，１０が前記床面２ａの勾配方向に沿って並設されており、
これら複数の貯水部１０，１０には、保水性能・浸透性能を有するブロック材１４が複数敷き詰められており、
前記床面２ａの勾配方向の上方に位置する貯水部１０の近傍には、この貯水部１０に水を供給するための給水手段１５が設けられており、
前記床面２ａの勾配方向の下方には、前記床面２ａの勾配方向の下方に位置する貯水部１０から溢れる水を外部に排出する排水孔１６が設けられていることを特徴とする。
【０００７】
なお、前記ブロック材１４としては、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態の生コンクリートを型枠に入れて固めたものが挙げられる。
また、その他にも、例えばヤシ等の天然繊維、不織布、グラスウールやロックウールを成形したもの等を用いてもよい。
【０００８】
請求項１に記載の発明によれば、前記側壁部材１１を前記床面２ａに複数配置するとともに、これら複数の側壁部材１１，１１間に前記仕切り部材１２を複数架設し、さらに、前記複数の側壁部材１１，１１と、これら複数の側壁部材１１，１１の長さ方向両端部間にそれぞれ架設される仕切り部材１２，１２とで囲まれる部分に防水シート１３を敷設することによって、前記床面２ａ上に、前記複数の貯水部１０，１０が前記床面２ａの勾配方向に沿って並設されているので、これら複数の貯水部１０，１０は、前記床面２ａに対して広域に設けられることとなる。さらに、水は蒸発するに際して所定の熱量を周囲から奪う性質を備えていることから、前記床面２ａに対して広域に設けられる複数の貯水部１０，１０に前記ブロック材１４が複数敷き詰められていることによって、このブロック材１４に浸透して保持された水が蒸発する際に、このブロック材１４の周囲の熱を奪いながら蒸発するので、従来とは異なり、前記床面２ａに散水管を配管せずとも、前記床面２ａに対して広い範囲で、前記床面２ａの温度の上昇を抑制したり、温度を低下させたりすることができる。これによって、前記バルコニー２の温度の上昇を抑制したり、温度を低下させたりでき、延いては、建物１の温度上昇をも抑制することができるので、快適な居住環境を形成することが可能となる。
また、前記床面２ａに、この床面２ａの建物側端部から外部側端部に向かって低くなる水勾配が設けられるとともに、前記複数の貯水部１０，１０が前記床面２ａの勾配方向に沿って並設されているので、前記床面２ａの勾配方向の上方に位置する貯水部１０の近傍に設けられる給水手段１５から水を供給するだけで、前記床面２ａの勾配方向の上方に位置する貯水部１０から、下方に位置する貯水部１０へと容易に水を行き渡らせることができ、前記床面２ａの勾配方向の下方に位置する貯水部１０から溢れた水は前記排水孔１６から確実に排出することができる。さらに、前記仕切り部材１２の高さを低く設定することによって、前記複数の貯水部１０に貯留される水の深さを浅くすることができるので、前記給水手段１５から前記床面２ａの勾配方向の上方に位置する貯水部１０に供給した水を、前記床面２ａの勾配方向の下方に位置する貯水部１０へと、より容易に行き渡らせやすくなるとともに、水が滞留することによって生じる悪臭や雑菌・虫の発生を確実に防ぐことができる。
【０００９】
請求項２に記載の発明は、例えば図２および図６に示すように、請求項１に記載の温度上昇抑制システムにおいて、
前記複数のブロック材１４，１４のうち、少なくとも一つのブロック材１４の上面に芝１４ａが植栽されていることを特徴とする。
【００１０】
請求項２に記載の発明によれば、前記複数のブロック材１４，１４のうち、少なくとも一つのブロック材１４の上面に芝１４ａが植栽されていることから、この芝１４ａによって前記ブロック材１４の上面を覆うことができるので、このブロック材１４が設けられる床面２ａの周囲の温度上昇を抑制できる。
また、このように前記ブロック材１４の上面を前記芝１４ａで覆うことができるので、この芝１４ａが植栽されたブロック材１４が敷き詰められた部分を緑化することができ、外観性に優れる。
【００１１】
請求項３に記載の発明は、例えば図２および図７に示すように、請求項１または２に記載の温度上昇抑制システムにおいて、
前記複数のブロック材１４，１４のうち、少なくとも一つのブロック材１４の上面にセラミックタイル１４ｂが取り付けられていることを特徴とする。
【００１２】
請求項３に記載の発明によれば、前記セラミックタイル１４ｂは多孔質体であるから、前記ブロック材１４の上面にセラミックタイル１４ｂが取り付けられていても、前記ブロック材１４に浸透して保持された水は、このセラミックタイル１４ｂを通じて確実に蒸発することができる。
また、前記複数のブロック材１４，１４のうち、少なくとも一つのブロック材１４の上面にセラミックタイル１４ｂが取り付けられているので、前記ブロック材１４の上面を趣のある仕上げにすることができ、外観性に優れる。さらに、このセラミックタイル１４ｂが取り付けられたブロック材１４と、前記芝１４ａが設けられたブロック材１４とを並設することによって、より外観性を向上させることができる。
【００１３】
請求項４に記載の発明は、例えば図１および図２，図５〜図７に示すように、請求項１〜３のいずれか一項に記載の温度上昇抑制システムにおいて、
前記ブロック材１４は、このブロック材１４の上面を、下面よりも面積が広くなるように設定することによって、このブロック材１４の上部が下部よりもオーバーハングするように形成されており、
このブロック材１４，１４同士を隣り合わせた際に、これら隣り合うブロック材１４，１４の対向する側部間に形成される空洞１４ｃは、前記仕切り部材１２を収容するための収容スペースとされていることを特徴とする。
【００１４】
請求項４に記載の発明によれば、前記ブロック材１４は、このブロック材１４の上面を、下面よりも面積が広くなるように設定することによって、このブロック材１４の上部が下部よりもオーバーハングするように形成されているので、このブロック材１４，１４同士を隣り合わせることによって、隣り合うブロック材１４，１４の上部同士は当接して、下部同士は離間する状態となり、隣り合うブロック材１４，１４の対向する側部間に前記空洞１４ｃを形成できることとなる。
また、この空洞１４ｃは、前記仕切り部材１２を収容するための収容スペースとされているので、この収容スペースに前記仕切り部材１２を収容した状態で前記ブロック材１４を前記複数の貯水部１０，１０に隙間なく敷き詰めることができる。
さらに、前記空洞１４ｃは、前記隣り合うブロック材１４，１４の対向する側部間に形成されるので、前記貯水部１０内において縦横に通じることとなる。これによって、この空洞１４ｃ内を水の流路として利用できるので、従来とは異なり、前記床面２ａに散水管を配管せずとも、前記複数の貯水部１０，１０内に、容易に水を行き渡らせることができる。
【００１５】
請求項５に記載の発明は、例えば図９に示すように、請求項４に記載の温度上昇抑制システムにおいて、
前記空洞１４ｃに、前記給水手段１５と接続され、前記貯水部１０に水を注ぐ灌水パイプ１７が配設されていることを特徴とする。
【００１６】
請求項５に記載の発明によれば、例えば前記貯水部１０の面積が広大であったとしても、前記空洞１４ｃに、前記給水手段１５と接続された灌水パイプ１７を配設しておけるので、前記給水手段１５から供給される水を前記貯水部１０に迅速かつ確実に貯めることができる。
【００１７】
請求項６に記載の発明は、例えば図４，図５および図８に示すように、請求項１〜５のいずれか一項に記載の温度上昇抑制システムにおいて、
前記床面２ａの勾配は１／５０程度に設定されていることを特徴とする。
【００１８】
請求項６に記載の発明によれば、前記床面２ａの勾配は１／５０程度に設定されているので、前記床面２ａは、比較的緩やかに傾斜した状態となっている。これによって、前記複数の貯水部１０，１０に貯留される水の深さを確実に浅くすることができるので、前記給水手段１５から前記床面２ａの勾配方向の上方に位置する貯水部１０に供給した水を、前記床面２ａの勾配方向の下方に位置する貯水部１０へと、さらに容易に行き渡らせやすくなるとともに、水が滞留することによって生じる悪臭や雑菌・虫の発生を、より確実に防ぐことができる。
【００１９】
請求項７に記載の発明は、例えば図１０〜図１５に示すように、請求項４〜６のいずれか一項に記載の温度上昇抑制システムにおいて、
前記ブロック材１４は、樹脂製のケース２０内に一体的に固着収納されており、
前記ケース２０は、このケース２０内と外部とを連通する複数の孔部２１ａ，２１ａ…を有する底板部２１と、この底板部２１の周縁部から前記ブロック材１４の側面に沿って立ち上がる側板部２２とを備えていることを特徴とする。
【００２０】
請求項７に記載の発明によれば、前記ブロック材１４は、樹脂製のケース２０内に一体的に固着収納されているので、このブロック材１４を前記ケース２０内に収納しない場合に比して、このブロック材１４の厚みを薄くすることができる。これによって、前記ブロック材１４の使用量や重量、また、前記ブロック材１４の製造に係る手間やコストを軽減できる。さらに、前記ブロック材１４の厚みを薄くしたとしても、該ブロック材１４は前記ケース２０内に固着収納されているので、強度を確保することが可能となる。
また、前記ケース２０は樹脂製であることから、成形しやすく、厚みを薄く形成することができるので好ましい。
また、前記ブロック材１４の底面および側面を、前記ケース２０の底板部２１および側板部２２によって覆い、前記ブロック材１４の上面を露出させることができるので、前記ブロック材１４を、このブロック材１４を前記ケース２０内に収納しない場合と同様に利用することができる。
さらに、前記底板部２１は、前記ケース２０内と外部とを連通する複数の孔部２１ａ，２１ａ…を有しているので、これら複数の孔部２１ａ，２１ａ…を通じて、前記貯水部１０に供給された水を前記ブロック材１４に確実に浸透・保水させることができるとともに、前記ケース２０内の水を前記貯水部１０へと確実に排水することができる。すなわち、前記ケース２０内と貯水部１０との間で確実に水を循環させることができる。
【００２１】
請求項８に記載の発明は、例えば図１０、図１１および図１５に示すように、請求項７に記載の温度上昇抑制システムにおいて、
前記底板部２１は四角形状に形成されており、前記側板部２２は、この底板部２１の四方の縁部から前記ブロック材１４の側面に沿って立ち上がることによって４つの側面部分２３，２４，２５，２６を有しており、
この側板部２２は、これら４つの側面部分２３，２４，２５，２６のうちの、２つの側面部分２３，２４の幅方向中央部からそれぞれ突出して設けられる凸部２３ａ，２４ａと、残りの２つの側面部分２５，２６の幅方向中央部にそれぞれ設けられる凹部２５ａ，２６ａとを有しており、
前記ケース２０を隣り合わせて並べる際に、互いに隣り合うケース２０，２０のうち、一方のケース２０の凸部２３ａ（２４ａ）が、他方のケース２０の凹部２５ａ（２６ａ）に嵌合可能となっていることを特徴とする。
【００２２】
請求項８に記載の発明によれば、前記側板部２２は、これら４つの側面部分２３，２４，２５，２６のうちの、２つの側面部分２３，２４の幅方向中央部からそれぞれ突出して設けられる凸部２３ａ，２４ａと、残りの２つの側面部分２５，２６の幅方向中央部にそれぞれ設けられる凹部２５ａ，２６ａとを有しており、前記ケース２０を隣り合わせて並べる際に、互いに隣り合うケース２０，２０のうち、一方のケース２０の凸部２３ａ（２４ａ）が、他方のケース２０の凹部２５ａ（２６ａ）に嵌合可能となっているので、前記互いに隣り合うケース２０，２０のジョイントが容易かつ正確に行うことができ、これによって、前記複数のブロック材１４を前記貯水部１０に容易かつ正確に敷き詰めることができる。
【００２３】
請求項９に記載の発明は、例えば図１５に示すように、請求項７または８に記載の温度上昇抑制システムにおいて、
前記ケース２０の側板部２２の４つの側面部分２３，２４，２５，２６のうち、少なくとも前記床面２ａの勾配方向の下方側に位置する側面部分２３（２４，２５，２６）に、該ケース２０内と外部とを連通する複数の孔部２７，２７…が形成されていることを特徴とする。
【００２４】
請求項９に記載の発明によれば、前記貯水部１０は、前記床面２ａの勾配方向下方が水位が高くなるため、少なくとも前記床面２ａの勾配方向の下方側に位置する側面部分２３（２４，２５，２６）に、該ケース２０内と外部とを連通する複数の孔部２７，２７…が形成されていることで、これら複数の孔部２７，２７…を通じて、前記貯水部１０に供給された水を前記ブロック材１４に、より確実に浸透・保水させることができるとともに、前記ケース２０内の水を前記貯水部１０へと、より確実に排水することができる。すなわち、前記ケース２０内と貯水部１０との間で、より確実に水を循環させることができる。
【００２５】
請求項１０に記載の発明は、例えば図１，図３〜図５に示すように、請求項１〜９のいずれか一項に記載の温度上昇抑制システムにおいて、
前記仕切り部材１２は三角柱状に形成されており、
この仕切り部材１２の底面から頂角部までの高さが５ｍｍ〜２０ｍｍに設定されていることを特徴とする。
【００２６】
請求項１０に記載の発明によれば、前記仕切り部材１２は三角柱状に形成されているので、例えば四角柱状の仕切り部材に比して、この仕切り部材１２上に敷設される防水シート１３の敷設面積を減らすことができる。
また、この仕切り部材１２の底面から頂角部までの高さが５ｍｍ〜２０ｍｍに設定されているので、前記複数の貯水部１０，１０に貯留される水の深さをより確実に浅くすることができる。これによって、前記給水手段１５から前記床面２ａの勾配方向の上方に位置する貯水部１０に供給した水を、前記床面２ａの勾配方向の下方に位置する貯水部１０へと、より一層容易に行き渡らせやすくなるとともに、水が滞留することによって生じる悪臭や雑菌・虫の発生を、さらに確実に防ぐことができる。
【発明の効果】
【００２７】
本発明によれば、建物の屋上やバルコニー等の床面の勾配方向に沿って、かつ、この床面の勾配方向と直交する方向に所定の間隔をあけて所定長さの側壁部材を複数配置するとともに、これら複数の側壁部材間に、これら複数の側壁部材の長さ方向に沿って所定の間隔をあけて複数並設される所定高さの仕切り部材を架設し、さらに、複数の側壁部材と、これら複数の側壁部材の長さ方向両端部間にそれぞれ架設される仕切り部材とで囲まれる部分に防水シートを敷設することによって、複数の貯水部が床面の勾配方向に沿って並設されているので、これら複数の貯水部は、床面に対して広域に設けられることとなる。さらに、水は蒸発するに際して所定の熱量を周囲から奪う性質を備えていることから、床面に対して広域に設けられる複数の貯水部にブロック材が複数敷き詰められていることによって、このブロック材に浸透して保持された水が蒸発する際に、このブロック材の周囲の熱を奪いながら蒸発するので、従来とは異なり、屋上やバルコニー等の床面に散水管を配管せずとも、床面に対して広い範囲で、床面の温度の上昇を抑制したり、温度を低下させたりすることができる。これによって、バルコニーの温度の上昇を抑制したり、温度を低下させたりでき、延いては、建物の温度上昇をも抑制することができるので、快適な居住環境を形成することが可能となる。
また、床面に、この床面の建物側端部から外部側端部に向かって低くなる水勾配が設けられるとともに、複数の貯水部が床面の勾配方向に沿って並設されているので、床面の勾配方向の上方に位置する貯水部の近傍に設けられる給水手段から水を供給するだけで、床面の勾配方向の上方に位置する貯水部から、下方に位置する貯水部へと容易に水を行き渡らせることができ、床面の勾配方向の下方に位置する貯水部から溢れた水は排水孔から確実に排出することができる。さらに、仕切り部材の高さを低く設定することによって、複数の貯水部に貯留される水の深さを浅くすることができるので、給水手段から床面の勾配方向の上方に位置する貯水部に供給した水を、床面の勾配方向の下方に位置する貯水部へと、より容易に行き渡らせやすくなるとともに、水が滞留することによって生じる悪臭や雑菌・虫の発生を確実に防ぐことができる。
【図面の簡単な説明】
【００２８】
【図１】本発明の温度上昇抑制システムが設けられる建物のバルコニーを示す斜視図である。
【図２】本発明の温度上昇抑制システムが設けられる建物のバルコニーを示す斜視図である。
【図３】貯水部の一部を示す斜視図である。
【図４】防水シートを敷設する形態を示す側断面図である。
【図５】貯水部にブロック材を敷き詰めた状態を示す側断面図である。
【図６】ブロック材の一例を示す正面図である。
【図７】ブロック材の一例を示す正面図である。
【図８】給水源として風呂水を利用する際の形態を示す概略図である。
【図９】空洞に灌水パイプを配設した状態を示す側断面図である。
【図１０】ブロック材を収納するケースを示す部分拡大平面図である。
【図１１】ブロック材が収納されたケースを配設した状態を示す斜視図である。
【図１２】ブロック材が収納されたケースと、仕切り部材との配設状態の一例を示す側断面図である。
【図１３】ブロック材が収納されたケースと、仕切り部材との配設状態の一例を示す側断面図である。
【図１４】底板部にリブが形成されたケースを示す部分側断面図である。
【図１５】側板部に複数の孔部が形成されたケースを示す部分斜視図である。
【発明を実施するための形態】
【００２９】
以下、図面を参照して本発明の実施の形態について説明する。
【００３０】
本実施の形態の温度上昇抑制システムは、図１〜図８に示すように、建物１の屋上やバルコニー２等の床面２ａに設けられることによって周囲の温度上昇を抑制するものであり、前記床面２ａには、この床面２ａの建物側端部から外部側端部に向かって低くなる水勾配が設けられており、前記床面２ａ上には、複数の貯水部１０，１０が前記床面２ａの勾配方向に沿って並設されており、これら複数の貯水部１０，１０には、保水性能・浸透性能を有するブロック材１４が複数敷き詰められており、前記床面２ａの勾配方向の上方に位置する貯水部１０の近傍には、この貯水部１０に水を供給するための給水手段１５が設けられており、前記床面２ａの勾配方向の下方には、前記床面２ａの勾配方向の下方に位置する貯水部１０から溢れる水を外部に排出する排水孔１６が設けられている。
【００３１】
ここで、本実施の形態の温度上昇抑制システムは、前記建物１のバルコニー２の床面２ａに設けられるものとするが、これに限られるものではなく、建物の屋上に設けてもよいものとする。建物の屋上に温度上昇抑制システムを設ける場合の建物の屋根は陸屋根の形態とする。なお、このように温度上昇抑制システムを前記バルコニー２に設ける場合、このバルコニー２は耐荷重性の高いルーフバルコニーであることが望ましい。
また、前記建物１には、図１および図２，図８に示すように、この建物１の内部と前記バルコニー２とを行き来するための出入り口１ａが、前記バルコニー２に面して設けられている。
【００３２】
また、前記床面２ａの勾配は１／５０程度に設定されており、前記床面２ａは、比較的緩やかに傾斜した状態となっている。これによって、前記複数の貯水部１０，１０に貯留される水の深さを浅めに設定することができる。
すなわち、前記床面２ａの水勾配をどの程度に設定するかによって、前記複数の貯水部１０，１０に貯留される水の深さを設定できることとなる。例えば、前記床面２ａが１／１００程度の水勾配であれば、１／５０の場合に比して水深を浅くすることができ、前記床面２ａが１／２０程度の水勾配であれば、１／５０の場合に比して水深を深くすることができる。
【００３３】
一方、前記複数の貯水部１０，１０は、前記床面２ａの勾配方向に沿って、かつ、この床面２ａの勾配方向と直交する方向に所定の間隔をあけて所定長さの側壁部材１１を複数配置するとともに、これら複数の側壁部材１１，１１間に、これら複数の側壁部材１１，１１の長さ方向に沿って所定の間隔をあけて複数並設される所定高さの仕切り部材１２を架設し、さらに、前記複数の側壁部材１１，１１と、これら複数の側壁部材１１，１１の長さ方向両端部間にそれぞれ架設される仕切り部材１２，１２とで囲まれる部分に防水シート１３を敷設することによって、前記床面２ａ上に並設されている。
なお、この貯水部１０に貯留される水の深さは、この貯水部１０が設けられる床面２ａ自体が建物側端部から外部側端部に向かって低くなるように傾斜しているので、各貯水部１０の建物側端部ほど浅く、外部側端部ほど深くなる。
【００３４】
また、前記側壁部材１１は、図１〜図３に示すように、前記床面２ａの勾配方向に沿って長尺なアングル材が用いられており、このアングル材の底部が前記床面２ａに固定され、立ち上がり部が前記貯水部１０の側壁部分となる。
【００３５】
また、前記仕切り部材１２は、図１に示すように、前記床面２ａの勾配方向と直交する方向に配置されるものであり、上述のように、前記複数の側壁部材１１，１１間に、これら複数の側壁部材１１，１１の長さ方向に沿って所定の間隔をあけて複数並設されるようにして架設されるものである。したがって、前記複数の側壁部材１１，１１同士の間隔は、この仕切り部材１２の長さと略等しい。
【００３６】
また、この仕切り部材１２は、図３〜図５に示すように、三角柱状に形成されている。すなわち、底面が前記床面２ａ上に設けられ、他の２面のうち少なくとも一面が前記貯水部１０を構成する面となっており、さらに、これら３面が前記床面２ａの勾配方向と直交する方向に沿って長尺である。
そして、このように前記仕切り部材１２が三角柱状に形成されているので、例えば四角柱状の仕切り部材に比して、この仕切り部材１２上に敷設される防水シート１３の敷設面積を減らすことができる。
また、このように仕切り部材１２が三角柱状に形成されていれば、この仕切り部材１２の頂角部を前記貯水部１０の端部として認識できる。
さらに、このように仕切り部材１２が三角柱状であれば、この仕切り部材１２を板状に形成した場合に比して、構造的な強度が高くなるので好ましい。
【００３７】
また、本実施の形態の仕切り部材１２の底面から頂角部までの高さが５ｍｍ〜２０ｍｍに設定されている。これによって、前記複数の貯水部１０，１０に貯留される水の深さをより確実に浅くすることができるので、前記給水手段１５から前記床面２ａの勾配方向の上方に位置する貯水部１０に供給した水を、前記床面２ａの勾配方向の下方に位置する貯水部１０へと、より一層容易に行き渡らせやすくなる。
このように前記貯水部１０の水深を浅くするとともに、水を複数の貯水部１０，１０に行き渡らせることによって、水が貯水部１０内に滞留することによって生じる悪臭や雑菌・虫の発生を確実に防ぐことができる。
【００３８】
さらに、この仕切り部材１２の高さの異なるものを使用することによって、前記複数の貯水部１０，１０の水深を調節できることとなる。
なお、本実施の形態においては、前記仕切り部材１２の底面から頂角部までの高さが５ｍｍ〜２０ｍｍに設定されることで、建物側端部ほど浅く外部側端部ほど深くなっている各貯水部１０の水深が、平均して１ｃｍ程度の水深となるようにそれぞれ設定されている。また、このように各貯水部の水深が平均して１ｃｍ程度の水深となるように設定することができれば、前記仕切り部材１２の底面から頂角部までの高さを６ｍｍ〜１８ｍｍと設定してもよい。
ここで、上述のように、前記各貯水部１０に貯水される水の量を、平均して１ｃｍ程度の水深となるように設定するとしたが、この平均１ｃｍ程度の水深とは、例えば夏季等において、各貯水部１０に貯水された水が蒸発するのにかかる所要日数が１日〜３日程度となるような数値設定である。すなわち、上記のように、前記仕切り部材１２の底面から頂角部までの高さを５ｍｍ〜２０ｍｍ、より具体的には６ｍｍ〜１８ｍｍに設定することによって、前記各貯水部１０に貯水される水の水深が１ｃｍ程度となるように設定することができる。
なお、このように前記仕切り部材１２の底面から頂角部までの高さを５ｍｍ〜２０ｍｍまたは６ｍｍ〜１８ｍｍに設定するとともに、前記各貯水部１０の水深を１ｃｍ程度に設定する際は、前記床面２ａの水勾配が１／５０程度、または、１／５０よりも急勾配または緩勾配に設定されているものとする。
【００３９】
また、前記防水シート１３は、上述のように、前記複数の側壁部材１１，１１と、これら複数の側壁部材１１，１１の長さ方向両端部間にそれぞれ架設される仕切り部材１２，１２とで囲まれる部分に敷設されるものである。
この防水シート１３の前記側壁部材１１に接する部分は、図３に示すように、この側壁部材１１に対して溶着または接着されており、前記仕切り部材１２に接する部分は、図４に示すように、両面テープ１３ａによって前記仕切り部材１２に取り付けられている。
【００４０】
また、この防水シート１３の端部などは、コーキング材等によって防水処理を行うようにしてもよい。また、防水シート１３の重なり合う端部同士は、図４に示すように、互いに重ね合わせてから溶着または接着されて防水性を保持している。
【００４１】
一方、本実施の形態のブロック材１４としては、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態の生コンクリートを型枠に入れて固めたものが挙げられる。なお、軽石は産地により乾燥比重が多少ばらつくが、大きな相違はない。
【００４２】
また、配合比を容積で表すと、軽石（乾燥比重が０．４）７０〜８５容積％と、ポルトランドセメント３０〜１５容積％との配合物に対して水２０〜３０容積％を散布して混練するものである。
さらに、このように軽石を骨材とするコンクリートの含水比重は、セメントと砕石等の天然骨材とポルトランドセメントのみを使用したコンクリートの約６０％であり、乾燥比重は、約５０％である。
【００４３】
保水性能については、軽石を骨材として使用したブロック材１４の含水比重は約１２００ｋｇ／ｍ２であり、およそ３００ｋｇ／ｍ３以上の水分を保水できる。また、浸透性能については、軽石で保水しきれなくなった水分を透過させるので、天然骨材を使用したコンクリートと同等の性能を得ることができる。
すなわち、このような軽石を骨材とするブロック材１４を、例えば舗装面の舗装材として用いた場合、例えばブロック材１４を５０ｍｍの厚みで舗装すると、含水重量は６０ｋｇ／ｍ２であり、乾燥比重は４５ｋｇ／ｍ２であるから１５リットルの水を保水することが可能となり、優れた性能を有している。
なお、本実施の形態のブロック材１４として、その他にも、例えばヤシ等の天然繊維、不織布、グラスウールやロックウールを成形したもの等を用いてもよいものとする。
【００４４】
また、このブロック材１４は、図２に示すように、前記側壁部材１１の立ち上がり部よりも若干高くなるように設定されるとともに、図５に示すように、前記仕切る部材１２よりも高くなるように設定されている。
さらに、このブロック材１４は、図５〜図７に示すように、このブロック材１４の上面を、下面よりも面積が広くなるように設定することによって、このブロック材１４の上部が下部よりもオーバーハングするように形成されている。すなわち、本実施の形態においては、このブロック材１４の側壁部分が上部が下部よりも外方に位置するように傾斜する逆角錐台形状に形成されている。
そして、このブロック材１４，１４同士を隣り合わせることによって、隣り合うブロック材１４，１４の上部同士は当接して、下部同士は離間する状態となるので、隣り合うブロック材１４，１４の対向する側部間に前記空洞１４ｃを形成できることとなる。
【００４５】
また、本実施の形態において、前記空洞１４ｃは、図５に示すように、前記仕切り部材１２を収容するための収容スペースとされている。したがって、この収容スペースに前記仕切り部材１２を収容した状態で前記ブロック材１４を前記複数の貯水部１０，１０に隙間なく敷き詰めることができる。つまり、外観から前記空洞１４ｃを視認しにくくなっている。
さらに、前記空洞１４ｃは、前記隣り合うブロック材１４，１４の対向する側部間に形成されるので、前記貯水部１０内において縦横に通じることとなる。これによって、この空洞１４ｃ内を水の流路として利用できるので、例えば前記床面２ａに散水管を配管せずとも、前記貯水部１０内に容易に水を行き渡らせることができる。
また、散水管を配管せずとも、としたが、例えば図９に示すように、前記空洞１４ｃに、前記給水手段１５と接続された灌水パイプ１７を配設してもよいものとする。これによって、例えば前記貯水部１０の面積が広大であったとしても、前記灌水パイプ１７によって、前記給水手段１５から供給される水を前記貯水部１０に注ぎ、この貯水部１０に水を迅速かつ確実に貯めることができる。
【００４６】
なお、前記仕切り部材１２が、例えば角柱状のものであった場合は、例えば図１３に示すように、前記ブロック材１４の上部が下部よりも外側に張り出すような形状となるように、このブロック材１４の側壁部分を凹状に切り欠きくようにして前記空洞１４ｃを形成できるように構成することが好ましい。すなわち、前記仕切り部材１２が角柱状の場合のブロック材１４を側面視した際は、このブロック材１４は略Ｔ字型となる。
【００４７】
また、本実施の形態のブロック材１４は、図６および図７に示すように、このブロック材１４の上面に芝１４ａが植栽されたものや、セラミックタイル１４ｂが取り付けられたものが用いられている。
【００４８】
前記芝１４ａが上面に植栽されたブロック材１４によれば、この芝１４ａによって前記ブロック材１４の上面を覆うことができるので、このブロック材１４が設けられる床面２ａの周囲の温度上昇を抑制できる。
また、このように前記前記ブロック材１４の上面を前記芝１４ａで覆うことができるので、この芝１４ａが植栽されたブロック材１４が敷き詰められた部分を緑化することができ、外観性に優れる。
なお、前記ブロック材１４の上面に芝１４ａを植栽する際は、前記防水シート１３に防根性能を付与したものを用いることが望ましい。
【００４９】
前記セラミックタイル１４ｂが上面に取り付けられたブロック材１４によれば、前記セラミックタイル１４ｂは多孔質体であるから、このようなセラミックタイル１４ｂが前記ブロック材１４の上面に取り付けられていたとしても、前記ブロック材１４に浸透して保持された水は、このセラミックタイル１４ｂを通じて確実に蒸発することとなる。
また、前記ブロック材１４の上面にセラミックタイル１４ｂが取り付けられているので、前記ブロック材１４の上面を趣のある仕上げにすることができ、外観性に優れる。
さらに、このセラミックタイル１４ｂが取り付けられたブロック材１４と、前記芝１４ａが設けられたブロック材１４とを並設することによって、より外観性を向上させることができる。
【００５０】
一方、前記給水手段１５は、図１および図２に示すように、前記床面２ａの勾配方向の上方に位置する貯水部１０の近傍に設けられており、給水源に接続されるとともに水が吐出される吐出部１５ａと、この吐出部１５ａに接続されるとともに、先端が前記隣り合うブロック材１４，１４間の空洞１４ｃから差し込まれて前記貯水部１０に設けられるホース１５ｂとを備えている。
なお、前記給水源としては、例えば図８に示す風呂１５ｃ、雨水等を貯留する貯留タンク等であり、適宜選択される。
【００５１】
ここで、前記貯水部１０に水を供給する際に、上水道を給水源としてしまうとコストの上昇等の問題が生じる場合があった。そこで、雨水や、風呂１５ｃや台所等からの生活排水を前記給水源として利用する。
なお、本実施の形態においては、例えば、前記風呂１５ｃを給水源として利用するものとして説明する。
【００５２】
また、このように風呂水を利用する際は、この風呂水を濾過する浄化手段１５ｅによって浄化することが望ましい。
前記浄化手段１５ｅは、例えば風呂１５ｃと連結して設けられる給湯装置１５ｄに内蔵されている。この給湯装置１５ｄは、前記風呂１５ｃ内の水を循環させるとともに温度管理を行いつつ、前記浄化手段１５ｅによって浄化できるようになっている。
【００５３】
また、前記浄化手段１５ｅの近傍には、この浄化手段１５ｅによって浄化された風呂水を前記吐出口１５ａへと送水するポンプ１５ｆが設けられている。
また、このポンプ１５ｆは、例えば部屋内に設けられた制御手段１５ｇによって制御可能となっており、浄化された風呂水を適切に利用できるようになっている。また、このような制御手段１５ｇによって、前記ポンプ１５ｆとともに、前記吐出口１５ａからの吐出量や時間設定等を行えるようにしてもよい。
【００５４】
このように前記風呂水は、この風呂水を濾過する浄化手段１５ｅによって浄化されているので、この風呂水に含まれる塵芥・毛髪・雑菌等を除去できる。これによって、前記吐出口１５ａや配水管の詰まりや、前記ブロック材１４の汚れ等を防ぐことができる。
そして、以上のように前記貯水部１０に供給される水として、風呂水等の生活排水が利用されていることから、上水道のみを給水源とした場合に比して水の利用量を低減できるので、コストの低減を図ることができる。また、風呂水と合わせて雨水を利用してもよく、これによって、さらに水の利用量を低減できる。この時、雨水も殺菌・消毒することが好ましい。
【００５５】
さらに、前記貯水部１０に供給される水として、以上のように風呂水を使用した場合に、この風呂水が温かいうちであれば効率良く蒸発させることができるので、前記ブロック材１４の周囲の温度の上昇を、効率良く抑制したり、低下させたりすることができる。
なお、冬場などの寒冷な時期において、前記貯水部１０に供給する前に風呂水が冷めてしまうような場合は、例えばラジエーター等を用いて水を再度温めるようにしてもよい。
【００５６】
なお、前記吐出口１５ａからの吐出量等や前記ポンプ１５ｆは、前記制御手段１５ｇによって制御されているものとしたが、この他にも、例えば前記吐出口１５ａにタイマーを設け、このタイマーによって水の吐出時間の管理を行うようにしてもよい。ここで、風呂１５ｃを給水源とする際は、このタイマーと前記ポンプ１５ｆとを連動して制御する必要があるが、上水道を給水源とする際は、タイマーだけで吐出時間（量）の管理を行うことができる。
また、高気温時に前記複数の貯水部１０，１０に水が滞留していると、悪臭や雑菌・虫の発生を促進してしまう場合があるため、前記給水手段１５から前記複数の貯水部１０，１０への水の供給は、夏季や、春季・秋季において高気温日が連続する際に行うことが望ましい。
【００５７】
また、給水源として雨水を利用する際は、雨水を貯留タンクに一旦貯留してから使用してもよいが、上空から降り注がれる雨を前記貯水部１０に単に貯留するだけでもよい。
すなわち、前記貯水部１０に水を貯留する際は、図８に示すように風呂水を利用したり、雨水を貯留タンクに貯留したり、雨水を直に貯水部１０に貯留するなどして、節水・省エネを図ることが望ましい。つまり、例えばスプリンクラーや従来の散水管では、水を広い範囲に散布したり、管の末端まで水を行き渡らせたりする際に過剰な水圧が必要となるが、本実施の形態においては、前記貯水部１０に単に水を貯留するだけでよい。
【００５８】
一方、前記排水孔１６は、図１に示すように、前記床面２ａの勾配方向の下端部に設けられている。なお、前記床面２ａの勾配方向の下端部は、前記床面２ａの勾配方向と直交する方向に長尺な排水帯１６ａとされており、この排水帯１６ａの一部に前記排水孔１６が設けられている。この排水帯１６ａは、前記排水孔１６に向かって傾斜するように構成されており、前記貯水部１０から溢れた水だけでなく、前記貯水部１０の周囲を流れる雨水等も排水しやすい。また、この排水帯１６ａは前記床面２ａよりも一段低い溝状にしてもよいものとする。
【００５９】
また、前記排水孔１６には、図２に示すように、この排水孔１６を隠すとともに、外部からのゴミによる詰まりを防ぐためのカバー１６ｂが被せられている。
さらに、このカバー１６ｂの上面までの高さは、前記床面２ａの勾配方向の下方に位置する貯水部１０に敷き詰められたブロック材１４の上面と略等しくなるように設定されている。そして、このカバー１６ｂを除く、前記複数の貯水部１０，１０周囲の床面２ａに、砂利（図示せず）等を敷くなどして、前記複数の貯水部１０，１０と前記バルコニー２の周壁２ｂとの間の溝を埋めるようにする。この時、この溝に敷かれる砂利を、前記排水孔１６のカバー１６ｂや、前記複数の貯水部１０，１０に敷き詰められたブロック材１４と略等しい高さにすることで、前記バルコニー２内の段差を少なくできるので、安全性および外観性に優れる。
【００６０】
次に、前記給水手段１５から供給される水が蒸発することによって前記バルコニー２周囲の温度上昇を抑制するまでの態様について説明する。
なお、前記床面２上には、予め複数の貯水部１０，１０が形成されて並設されているとともに、これら複数の貯水部１０，１０には、前記ブロック材１４が複数敷き詰められているものとする。つまり、図２に示すような状態のバルコニー２となっている。
【００６１】
まず、前記供給手段１５から供給される水は、前記ホース１５ｂを通じて前記床面２ａの勾配方向の上方に位置する貯水部１０（上段）へと注がれる。水は、前記複数の貯水部１０，１０の全てを満たすまで供給されるものとする。
前記貯水部１０へと注がれた水は、この貯水部１０内に敷き詰められた複数のブロック材１４，１４間の空洞１４ｃを通じて、この貯水部１０内に行き渡る。
【００６２】
前記床面２ａの勾配方向の上方に位置する貯水部１０内に行き渡った水は、この貯水部１０の前記床面２ａの勾配方向の下方に位置する仕切り部材１２の頂角部から溢れ出し、前記床面２ａの勾配方向の上方に位置する貯水部１０よりも一段低い貯水部１０（中段）へと注がれることとなる。
【００６３】
また、この中段の貯水部１０へと注がれた水は、この貯水部１０内に行き渡り、さらに、この貯水部１０内に行き渡った水は、この貯水部１０の前記床面２ａの勾配方向の下方に位置する仕切り部材１２の頂角部から溢れ出し、前記床面２ａの勾配方向の下方に位置する貯水部１０（下段）へと注がれることとなる。
そして、この下段の貯水部１０に行き渡った水は、この貯水部１０の前記床面２ａの勾配方向の下方に位置する仕切り部材１２の頂角部から溢れ出し、この溢れた水は、前記排水孔１６へと流れていくこととなる。
【００６４】
また、このように各貯水部１０，１０へと水が注がれると同時に、この水は、これら各貯水部１０，１０に敷き詰められた複数のブロック材１４，１４に浸透して、これら複数のブロック材１４，１４に保水されているものとする。
そして、前記給水手段１５から供給された水が、前記複数の貯水部１０，１０へと注がれるとともに、前記複数のブロック材１４，１４へと保水され、余剰な水が前記排水孔１６へと流れた時点で、前記給水手段１５からの水の供給を止めるようにする。
【００６５】
そして、前記複数のブロック材１４，１４に保水された水は蒸発をはじめる。水は、上述のように、蒸発するに際して所定の熱量を周囲から奪う性質を備えていることから、水は、前記保水された複数のブロック材１４，１４の周囲の熱を奪いながら蒸発することとなり、延いては、これら複数のブロック材１４，１４が設けられた複数の貯水部１０，１０、またはバルコニー２の温度の上昇を抑制したり、温度を低下させたりできるようになっている。したがって、このバルコニー２の温度上昇を抑制することによって、前記建物１の温度上昇をも抑制することが可能となる。
【００６６】
水の蒸発が進み、前記複数の貯水部１０，１０内の水が少なくなってきたら、前記給水手段１５から水を供給して、再度、前記複数の貯水部１０，１０内に水を満たすようにする。以上のような動作を繰り返して、建物１の温度上昇を抑制するものとする。
また、前記バルコニー２に面して前記出入り口１ａが設けられているので、温度の上昇が抑制されたバルコニー２を通過する外気を、この出入り口１ａから建物１の内部へと流入させることができる。これによって、特に夏場などの温暖な時期において、比較的温度の低い外気をバルコニー２から建物１の内部に効率良く取り入れることができるので、快適な居住環境を形成することが可能となる。
【００６７】
また、前記ブロック材１４は、図１０〜図１５に示すように、樹脂製のケース２０内に一体的に固着収納して用いるようにしてもよい。このように、前記ケース２０内に一体的に固着収納されていれば、このブロック材１４を前記ケース２０内に収納しない場合に比して、このブロック材１４の厚みを薄くすることができる。これによって、前記ブロック材１４の使用量や重量、また、前記ブロック材１４の製造に係る手間やコストを軽減できる。さらに、前記ブロック材１４の厚みを薄くしたとしても、該ブロック材１４は前記ケース２０内に固着収納されているので、強度を確保することが可能となる。すなわち、前記ブロック材が折れたり、欠けたりすることを防ぐことができる。
また、前記ケース２０は樹脂製であることから、成形しやすく、厚みを薄く形成することができるので好ましい。
【００６８】
なお、このような樹脂製のケース２０は、四角形状に形成されるとともに、該ケース２０内と外部とを連通する複数の孔部２１ａ，２１ａ…を有する底板部２１と、この底板部２１の四方の縁部から前記ブロック材１４の側面に沿って立ち上がる側板部２２とを備えている。
このようなケース２０の底板部２１および側板部２２によって、前記ブロック材１４の底面および側面を覆うことができるので、前記ブロック材１４の上面を露出させることができ、前記ブロック材１４を、このブロック材１４を前記ケース２０内に収納しない場合と同様に利用することができる。
【００６９】
また、前記底板部２１の複数の孔部２１ａ，２１ａ…は、例えば１ｃｍ四方の正方形状に形成されている。このように、前記底板部２１は複数の孔部２１ａ，２１ａ…を有しているので、これら複数の孔部２１ａ，２１ａ…を通じて、前記貯水部１０に供給された水を前記ブロック材１４に確実に浸透・保水させることができるとともに、前記ケース２０内の水を前記貯水部１０へと確実に排水することができる。すなわち、前記ケース２０内と貯水部１０との間で確実に水を循環させることができる。
なお、このように複数の孔部２１ａ，２１ａ…が前記底板部２１に形成されていても、前記ケース２０内に投入される前段階（すなわち、固化する前の段階）の前記ブロック材１４は適当な粘度を有しているため、これら複数の孔部２１ａ，２１ａ…から零れ落ちないようになっている。
【００７０】
また、前記側板部２２は、この底板部２１の四方の縁部から前記ブロック材１４の側面に沿って立ち上がることによって４つの側面部分２３，２４，２５，２６を有している。
そして、この側板部２２は、これら４つの側面部分２３，２４，２５，２６のうちの、２つの側面部分２３，２４の幅方向中央部からそれぞれ突出して設けられる凸部２３ａ，２４ａと、残りの２つの側面部分２５，２６の幅方向中央部にそれぞれ設けられる凹部２５ａ，２６ａとを有している。
したがって、前記ケース２０を隣り合わせて並べる際に、互いに隣り合うケース２０，２０のうち、一方のケース２０の凸部２３ａ（２４ａ）が、他方のケース２０の凹部２５ａ（２６ａ）に嵌合可能となっている。
【００７１】
なお、前記側板部２２は、前記底板部２１の四方の縁部から斜め上方に立ち上がる傾斜部２２ａと、この傾斜部２２ａの上端部から水平方向に延出する水平部２２ｂと、この水平部２２ｂの延出端部から上方に立ち上がる立ち上がり部２２ｃとを備えている。
そして、本実施の形態において、前記側面部分２３，２４，２５，２６とは、図１０，図１１および図１５に示すように、前記側板部２１の上部に位置する前記立ち上がり部２２ｃの四方の側面を指している。
【００７２】
なお、前記側板部２２は以上のように形成されているので、複数のケース２０を並べることによって、図１２に示すように、隣り合うケース２０，２０の間に収容スペースである空洞１４ｃを形成することができる。したがって、これら隣り合うケース２０，２０は、前記仕切り部材１２を収容スペースである空洞１４ｃに収容した状態で、前記立ち上がり部２２ｃ同士が当接するようにして並べられるようになっている。
また、図１３に示すように、四角柱状の仕切り部材１２Ａを用いる場合は、前記ケース２０とは形状の異なるケース２０Ａを用いることが好ましい。すなわち、このケース２０Ａは、側面視において略Ｔ字型となっており、これらケース２０Ａ，２０Ａ間に形成される空洞１４ｃに、前記仕切り部材１２Ａを収容できるようになっている。
【００７３】
一方、前記凸部２３ａ，２４ａは、図１０，図１１および図１５に示すように、平面視において、前記側面部分２３，２４から外側に突出する略三角形状に形成されたものであり、前記凹部２５ａ，２６ａは、平面視において、前記側面部分２５，２６から前記ケース２０の内側に向かって突出する略三角形状に形成されたものである。また、前記凸部２３ａ，２４ａは、前記凹部２５ａ，２６ａに合致する大きさに形成されており、これによって、これら凸部２３ａ，２４ａと凹部２５ａ，２６ａとが互いに嵌合できるようになっている。
【００７４】
このように、前記側板部２２は、これら４つの側面部分２３，２４，２５，２６のうちの、２つの側面部分２３，２４の幅方向中央部からそれぞれ突出して設けられる凸部２３ａ，２４ａと、残りの２つの側面部分２５，２６の幅方向中央部にそれぞれ設けられる凹部２５ａ，２６ａとを有することによって、互いに隣り合うケース２０，２０のジョイントが容易かつ正確に行うことができるので、前記複数のブロック材１４を前記貯水部１０に容易かつ正確に敷き詰めることができる。
【００７５】
また、前記ケース２０の強度をより向上させるために、図１４に示すように、前記底板部２１に複数のリブ２１ｂを形成してもよい。これら複数のリブ２１ｂ，２１ｂ…は、隣り合う孔部２１ａ，２１ａ間に設けられており、前記底板部２１の面方向に沿って長尺に形成されている。すなわち、前記側板部２２の側面部分２３側から側面部分２５側まで形成されていても良いし、前記側板部２２の側面部分２４側から側面部分２６側まで形成されていても良い。また、前記複数の孔部２１ａ，２１ａを避けるようにして略網目状に形成されていても良いものとする。
【００７６】
また、図１５に示すように、前記ケース２０の側板部２２の４つの側面部分２３，２４，２５，２６のうち、少なくとも前記床面２ａの勾配方向の下方側に位置する側面部分２３に、該ケース２０内と外部とを連通する複数の孔部２７，２７…が形成されていてもよい。
すなわち、前記貯水部１０に水を入れると、水位は、前記床面２ａの勾配方向下方側の方が高くなる。このため、少なくとも前記床面２ａの勾配方向の下方側に位置する側面部分２３に、該ケース２０内と外部とを連通する複数の孔部２７，２７…が形成されていれば、これら複数の孔部２７，２７…を通じて、前記貯水部１０に供給された水を前記ブロック材１４に、より確実に浸透・保水させることができるとともに、前記ケース２０内の水を前記貯水部１０へと、より確実に排水することができる。すなわち、前記ケース２０内と貯水部１０との間で、より確実に水を循環させることができるという利点がある。
【００７７】
本実施の形態によれば、前記側壁部材１１を前記床面２ａに複数配置するとともに、これら複数の側壁部材１１，１１間に前記仕切り部材１２を複数架設し、さらに、前記複数の側壁部材１１，１１と、これら複数の側壁部材１１，１１の長さ方向両端部間にそれぞれ架設される仕切り部材１２，１２とで囲まれる部分に防水シート１３を敷設することによって、前記床面２ａ上に、前記複数の貯水部１０，１０が前記床面２ａの勾配方向に沿って並設されているので、これら複数の貯水部１０，１０は、前記床面２ａに対して広域に設けられることとなる。さらに、水は蒸発するに際して所定の熱量を周囲から奪う性質を備えていることから、前記床面２ａに対して広域に設けられる複数の貯水部１０，１０に前記ブロック材１４が複数敷き詰められていることによって、このブロック材１４に浸透して保持された水が蒸発する際に、このブロック材１４の周囲の熱を奪いながら蒸発するので、前記床面２ａに対して広い範囲で、前記床面２ａの温度の上昇を抑制したり、温度を低下させたりすることができる。これによって、前記バルコニー２の温度の上昇を抑制したり、温度を低下させたりでき、延いては、建物１の温度上昇をも抑制することができるので、快適な居住環境を形成することが可能となる。
また、前記床面２ａに、この床面２ａの建物側端部から外部側端部に向かって低くなる水勾配が設けられるとともに、前記複数の貯水部１０，１０が前記床面２ａの勾配方向に沿って並設されているので、前記床面２ａの勾配方向の上方に位置する貯水部１０の近傍に設けられる給水手段１５から水を供給するだけで、前記床面２ａの勾配方向の上方に位置する貯水部１０から、下方に位置する貯水部１０へと容易に水を行き渡らせることができ、前記床面２ａの勾配方向の下方に位置する貯水部１０から溢れた水は前記排水孔１６から確実に排出することができる。さらに、前記仕切り部材１２の高さを低く設定することによって、前記複数の貯水部１０に貯留される水の深さを浅くすることができるので、前記給水手段１５から前記床面２ａの勾配方向の上方に位置する貯水部１０に供給した水を、前記床面２ａの勾配方向の下方に位置する貯水部１０へと、より容易に行き渡らせやすくなるとともに、水が滞留することによって生じる悪臭や雑菌・虫の発生を確実に防ぐことができる。
【符号の説明】
【００７８】
１  建物
２  バルコニー
２ａ  床面
１０  貯水部
１１  側壁部材
１２  仕切り部材
１３  防水シート
１４  ブロック材
１５  給水手段
１６  排水孔
【図１】
2010084506.tif 000003
【図２】
2010084506.tif 000004
【図３】
2010084506.tif 000005
【図４】
2010084506.tif 000006
【図５】
2010084506.tif 000007
【図６】
2010084506.tif 000008
【図７】
2010084506.tif 000009
【図８】
2010084506.tif 000010
【図９】
2010084506.tif 000011
【図１０】
2010084506.tif 000012
【図１１】
2010084506.tif 000013
【図１２】
2010084506.tif 000014
【図１３】
2010084506.tif 000015
【図１４】
2010084506.tif 000016
【図１５】
2010084506.tif 000017